(57)【要約】【課題】光源に近づけることができるとともに、部品点数を減少させてコストダウンを図ることができるセードおよび照明器具を提供する。【解決手段】セード３０の支持部３１を、ＬＥＤ電球２０のランプ本体２２により支持するので、セード３０を取り付ける部品を別途設ける必要が無く、部品点数を減少させてコストダウンを図ることができる。このとき、ランプ本体２２が、口金側から発光部側に向かって拡径するテーパ面を有するので、容易に支持部３１を支持することができる。また、支持部３１の周囲に笠部３２が設けられているので、笠部３２は、ＬＥＤ電球２０に近づけて取り付けることができ、精度の高い配光制御が可能になる。【選択図】図２
2013145681.tif 000002
【特許請求の範囲】
【請求項１】
ソケットに装着されて点灯電力を供給される口金と、
前記口金に一端が取り付けられるランプ本体と、
前記ランプ本体の他端に取り付けられ内部にＬＥＤを収容した発光部と、
前記口金側から前記発光部側に向かって拡径するテーパ面とを有する電球型ＬＥＤランプのセードであって、
前記テーパ面に支持される支持部と、
前記支持部の周囲に設けられる笠部と、を有するセード。
【請求項２】
請求項１に記載のセードにおいて、
前記支持部と笠部との間に隙間部を有するセード。
【請求項３】
請求項２に記載のセードにおいて、
前記笠部の内側に、前記電球型ＬＥＤランプからの光を前記隙間部に向けて反射させる反射部を有するセード。
【請求項４】
請求項２または請求項３に記載のセードにおいて、
前記支持部と前記反射部とを連結する複数の第１連結竿と、
前記反射部と前記笠部とを連結する複数の第２連結竿と、を有するセード。
【請求項５】
請求項４に記載のセードにおいて、
前記第１連結竿と前記第２連結竿とが、平面視で上から見たときに一直線上、かつ、放射状に設けられているセード。
【請求項６】
請求項１ないし請求項５のうちのいずれか１項に記載のセードにおいて、
前記電球型ＬＥＤランプと前記支持部との間に、環状部材を介在させたセード。
【請求項７】
請求項６に記載のセードにおいて、
前記環状部材が、弾性材料で形成されているセード。
【請求項８】
請求項６または請求項７に記載のセードにおいて、
前記環状部材が、透光性材料で形成されているセード。
【請求項９】
請求項１ないし請求項８のうちのいずれか１項に記載のセードと、
前記電球型ＬＥＤランプと、
前記ソケットと、を有する照明器具。
【発明の詳細な説明】
【技術分野】
【０００１】
本発明は、電球型ＬＥＤランプに取り付けるセードおよびこのセードを用いた照明器具に関するものである。
【背景技術】
【０００２】
従来より、器具自体のコンパクト化およびセードを光源に近づければ近づける程、配光制御が容易になることから、ソケットにねじ込まれる電球に直接取り付けるセードが提案されている（例えば、特許文献１参照）。
図８に示すように、特許文献１に記載のセード１００は、電球形蛍光灯１０１に取り付けられる。電球形蛍光灯１０１は、ソケット（図示省略）にねじ込まれる口金１０２に続いて、内部に点灯装置（図示省略）等を収容するカバー１０３が設けられ、カバー１０３の先端に、内部に光源（図示省略）を収容するグローブ１０４を有する。
【０００３】
カバー１０３は、口金１０２に連続して、グローブ１０４側に向かって拡径する筒状部１０５を有し、さらに段部１０６を介して円錐部１０７を有する。この円錐部１０７に連続してグローブ１０４が設けられている。
【０００４】
セード１００は、上板である円板部１０９の中心部に、電球形蛍光灯１０１の段部１０６の外形よりも小さめな内径の丸孔形状の開口（図示省略）を有しており、この開口を段部１０６に引っ掛けて取り付けられる。また、セード１００は、円板部１０９から下方に円錐台形状に拡径して延びる反射笠部１０８を有しており、電球形蛍光灯１０１が発した光を所定の方向および範囲に反射する。
なお、セード１００は板金製である。
【先行技術文献】
【特許文献】
【０００５】
【特許文献１】実用新案登録第３１４３３２６号公報（第１図）
【発明の概要】
【発明が解決しようとする課題】
【０００６】
一般に、セードによるより精度の高い配光制御は、セードが光源に近ければ近いほど達成されるが、前述したような電球形蛍光灯を用いる場合には、それ自身が高温となるため、空間を設けて電球からの熱によるセードの変形を抑えることが行われている。
セードに対する熱の影響は、発熱量が小さなＬＥＤ電球を用いることにより、ある程度減少されると考えられるが、近年のＬＥＤ電球の高出力化に伴って発熱量が大きくなっているため、同様の熱対策が要求される。
このため、空間を設けて熱の影響を避ける場合には、セードおよび照明器具のコンパクト化を妨げるという問題があった。
また、熱を考慮した材質の取付部品を別途設ける場合には、部品点数の増加によるコストアップを招くという問題があった。
【０００７】
本発明は、従来の問題を解決するためになされたもので、光源に近づけることができるとともに、部品点数を減少させてコストダウンを図ることができるセードおよびこのセードを用いた照明器具を提供することを目的とする。
【課題を解決するための手段】
【０００８】
本発明のセードは、ソケットに装着されて点灯電力を供給される口金と、前記口金に一端が取り付けられるランプ本体と、前記ランプ本体の他端に取り付けられ内部にＬＥＤを収容した発光部と、前記口金側から前記発光部側に向かって拡径するテーパ面とを有する電球型ＬＥＤランプのセードであって、前記テーパ面に支持される支持部と、前記支持部の周囲に設けられる笠部と、を有するものである。
【０００９】
また、本発明のセードは、前記支持部と笠部との間に隙間部を有するものである。
【００１０】
また、本発明のセードは、前記笠部の内側に、前記電球型ＬＥＤランプからの光を前記隙間部に向けて反射させる反射部を有するものである。
【００１１】
また、本発明のセードは、前記支持部と前記反射部とを連結する複数の第１連結竿と、前記反射部と前記笠部とを連結する複数の第２連結竿と、を有するものである。
【００１２】
また、本発明のセードは、前記第１連結竿と前記第２連結竿とが、平面視で上から見たときに一直線上、かつ、放射状に設けられているものである。
【００１３】
また、本発明のセードは、前記電球型ＬＥＤランプと前記支持部との間に、環状部材を介在させたものである。
【００１４】
また、本発明のセードは、前記環状部材が、弾性材料で形成されているものである。
【００１５】
また、本発明のセードは、前記環状部材が、透光性材料で形成されているものである。
【００１６】
さらに、本発明の照明器具は、前述したセードと、前記電球型ＬＥＤランプと、前記ソケットと、を有するものである。
【発明の効果】
【００１７】
本発明は、セードの支持部を、電球型ＬＥＤランプのランプ本体により支持するので、セードを取り付ける部品を別途設ける必要が無く、部品点数を減少させてコストダウンを図ることができる。このとき、ランプ本体が、口金側から発光部側に向かって拡径するテーパ面を有するので、容易に支持部を支持することができる。また、支持部の周囲に笠部が設けられているので、笠部は、電球型ＬＥＤランプに近づけて取り付けることができ、精度の高い配光制御が可能になるという効果を有するセードおよび照明器具を提供できる。
【図面の簡単な説明】
【００１８】
【図１】（Ａ）は本発明に係る第１実施形態のセードおよび照明器具の側面図であり、（Ｂ）は断面図
【図２】本発明に係る第１実施形態のセードおよび照明器具の分解斜視図
【図３】ＬＥＤ電球の側面図
【図４】ＬＥＤ電球の別の例を示す側面図
【図５】（Ａ）は本発明に係る第１実施形態のセードを上方から見た斜視図であり、（Ｂ）は下方から見た斜視図
【図６】（Ａ）は第１連結竿および第２連結竿が各々３本設けられた場合の位置関係を示す平面図であり、（Ｂ）は各々４本設けられた場合の平面図
【図７】（Ａ）は本発明に係る第２実施形態のセードおよび照明器具の断面図であり、（Ｂ）はＬＥＤ電球およびセードを上方から見た斜視図であり、（Ｃ）はセードを上方から見た斜視図
【図８】従来のセードおよび照明器具の側面図
【発明を実施するための形態】
【００１９】
（第１実施形態）
以下、本発明に係る第１実施形態のセードおよび照明器具について、図面を用いて説明する。
図１および図２に示すように、本発明に係る実施形態の照明器具１０は、例えば、天井等から吊下げて，下方等を照明するのに用いることができる。
照明器具１０は、天井等から吊下げられたコード１１を有しており、コード１１の下端には、ソケット１２が取り付けられている。ソケット１２には、電球型ＬＥＤランプ（以後、ＬＥＤ電球という）２０が着脱可能に装着され、ＬＥＤ電球２０には、セード３０が取り付けられる。
なお、以下の説明において、照射方向を下方とする。
【００２０】
図３に示すように、ＬＥＤ電球２０は、ソケット１２にねじ込んで装着されて点灯電力の供給を受ける口金２１を有する。口金２１の下側には、一端（図３において上端）が取り付けられるランプ本体２２を有し、ランプ本体２２の他端（図３において下端）には、内部にＬＥＤ２３１を収容した発光部２３が取り付けられる。
【００２１】
ランプ本体２２は、口金側である上端から発光部側である下端に向かって直線的に拡径しており、円錐台形状（テーパ面）を呈している。
なお、図４に示すように、ランプ本体２２Ｂが、直線的ではなく、内側に凹んだ曲線形状で拡径するＬＥＤ電球２０Ｂの場合も含む。
以下の説明においては、図３に示すＬＥＤ電球２０を用いる場合について説明する。
【００２２】
図５（Ａ）および（Ｂ）に示すように、前述したＬＥＤ電球２０に取り付けられるセード３０は、ＬＥＤ電球２０のランプ本体２２に支持される支持部３１と、支持部３１の周囲に設けられる笠部３２を有する。
支持部３１は、円形リング状を呈しており、笠部３２は、下方に向かって拡径する略円錐台形状を呈している。
【００２３】
支持部３１と笠部３２との間には、隙間部３３が設けられており、笠部３２の内側には、ＬＥＤ電球２０からの光を隙間部３３に向けて反射させる反射部３４を有する。
反射部３４は、下方に向かって縮径し、上下に開口した略円錐台形状をしており、内面は光を反射する反射面を有する。
これにより、図１（Ａ）および（Ｂ）に示すように、ＬＥＤ電球２０から下向きに発せられた光は、下方に照射される（図１（Ａ）および（Ｂ）中矢印Ａ）。また、ＬＥＤ電球２０から側方に発せられた光は、反射部３４により上方へ反射されて、隙間部３３を通って上方の天井側へ照射される（図１（Ａ）および（Ｂ）中矢印Ｂ）。さらに、ＬＥＤ電球２０から上方へ発せられた光は、笠部３２の上部に当たって下方へ照射される（図１（Ａ）および（Ｂ）中矢印Ｃ）。
【００２４】
支持部３１と反射部３４との間は、複数（ここでは、３個）の第１連結竿３５により連結されている。すなわち、第１連結竿３５は、支持部３１の外縁部と、反射部３４の内面下端部とを連結する。
また、反射部３４と笠部３２との間は、複数（ここでは、３個）の第２連結竿３６により連結されている。すなわち、第２連結竿３６は、笠部３２の上端部と反射部３４の上端部とを連結する。
【００２５】
図６（Ａ）に示すように、３本の第１連結竿３５および３本の第２連結竿３６は、各々１２０度間隔で設けられており、平面視で上から見たときに一直線上、かつ、放射状に設けられている。
なお、第１連結竿３５および第２連結竿３６は、各々３本に限るものではなく、４本以上設けることもできる。この場合にも、平面視で上から見たときに一直線上、かつ、放射状に設けられる。例えば、図６（Ｂ）には、第１連結竿３５および第２連結竿３６が、各々９０度間隔で４本設けられている場合を示す。
【００２６】
なお、支持部３１は、直接ＬＥＤ電球２０のランプ本体２２に当接して支持されることが可能だが、ＬＥＤ電球２０と支持部３１との間に環状部材４０（図２参照）を設けて、環状部材４０を介して支持するようにするのが望ましい。
環状部材４０は、全体円形リング形状をしている。環状部材４０は、断面Ｌ字形状をしており、下側に位置する幅広部４１と、上側に位置する幅狭部４２を有する。幅広部４１の外径は、支持部３１の内径よりも大きく、幅狭部４２の外形は支持部３１の内径よりも小さい。
これにより、環状部材４０の幅狭部４２は支持部３１の内側に挿入され、幅広部４１は支持部３１を下方から支持することになる（図１（Ｂ）参照）。
【００２７】
また、環状部材４０は、弾性を有する透光性材料で形成するのが望ましい。例えば、透過性のあるシリコンを用いることができる。
これにより、セード３０がランプ本体２２に密着して、ぐらつきが少なくなる。また、環状部材４０の大きさを調整することにより、外径が異なるランプ本体２２を有するＬＥＤ電球２０にも、セード３０の装着が可能になる。
【００２８】
従って、セード３０をＬＥＤ電球２０に取り付ける際には、まず、ＬＥＤ電球２０の口金２１側を環状部材４０の下方から挿入し、環状部材４０をＬＥＤ電球２０のランプ本体２２に取り付ける。
次いで、環状部材４０を取り付けたＬＥＤ電球２０を、セード３０の下方から挿入して、環状部材４０の幅狭部４２を支持部３１に挿入して、環状部材４０の幅広部４１によりセード３０の支持部３１を係止する。
そして、セード３０が取り付けられたＬＥＤ電球２０の口金２１を、ソケット１２にねじ込む。
【００２９】
以上、説明した本発明に係る第１実施形態のセード３０によれば、セード３０の支持部３１を、ＬＥＤ電球２０のランプ本体２２により支持する。このため、セード３０を取り付ける部品を別途設ける必要が無く、部品点数を減少させてコストダウンを図ることができる。
このとき、ランプ本体２２が、口金２１側から発光部２３側に向かって拡径するテーパ面を有するので、容易に支持部３１を支持することができる。
また、支持部３１の周囲に笠部３２が設けられているので、笠部３２は、ＬＥＤ電球２０に近づけて取り付けることができ、グレアカットや精度の高い配光制御が可能になる。
【００３０】
また、支持部３１と笠部３２との間に隙間部３３を有するので、ＬＥＤ電球２０の上方向（口金２１方向）の光を天井面に配光することが可能となり、天井面を明るくすることができる。
また、ＬＥＤ電球２０の熱が、隙間部３３から上方へ抜けるので、放熱性が向上する。
【００３１】
また、笠部３２の内側に、ＬＥＤ電球２０からの光を隙間部３３に向けて反射させる反射部３４を設けたので、支持部３１と笠部３２との隙間部３３から、天井面へ光を照射することができる。
【００３２】
また、支持部３１と反射部３４とを複数の第１連結竿３５により連結し、反射部３４と笠部３２との間を複数の第２連結竿３６により連結したので、天井面への配光が可能になるとともに、放熱性能を向上できる。
【００３３】
また、複数の第１連結竿３５と複数の第２連結竿３６とが、平面視で上から見たときに一直線上、かつ、放射状に設けられているので、遮蔽物を少なくして、天井面へ多くの光を照射できる。
【００３４】
また、ＬＥＤ電球２０と支持部３１との間に、環状部材４０を介在させたので、セード３０自身の安定性が増し、ぐらつき等の製品品質が向上する。
また、環状部材４０の直径を変更することにより、様々なＬＥＤ電球２０に対応できるので、ＬＥＤ電球２０の使用毎に新規形状をする必要が無くなり、大幅なコスト削減を図ることができる。
【００３５】
また、例えばＬＥＤ電球２０のランプ本体２２の周面に放熱フィンが設けられている場合でも、環状部材４０の形状、寸法等を適宜選択することにより、安定してセード３０を固定できる。
【００３６】
また、環状部材４０が、弾性材料で形成されているので、セード３０を固定した際の安定性に優れる。
また、器具使用時の振動等によるセード３０の位置ずれの問題も、解消できる。
【００３７】
また、環状部材４０が、透光性材料で形成されているので、天井面への光の遮りを最小限に抑えることができる。
【００３８】
さらに、セード３０の支持部３１を、ソケット１２に取り付けたＬＥＤ電球２０のランプ本体２２により支持するので、セード３０を取り付ける部品を別途設ける必要が無く、部品点数を減少させてコストダウンを図ることができる。
このとき、ランプ本体２２が、口金２１側から発光部２３側に向かって拡径するテーパ面を有するので、容易に支持部３１を支持することができる。
また、支持部３１の周囲に笠部３２が設けられているので、笠部３２は、ＬＥＤ電球２０に近づけて取り付けることができ、精度の高い配光制御が可能になる。
【００３９】
（第２実施形態）
次に、本発明に係る第２実施形態のセード３０Ｂおよび照明器具１０Ｂについて説明する。
なお、前述した第１実施形態に係るセード３０および照明器具１０と共通する部位には同じ符号を付して、重複する説明を省略することとする。
【００４０】
図７（Ａ）および（Ｂ）に示すように、第２実施形態のセード３０Ｂでは、第１実施形態のセード３０で設けられていた反射部３４、第１連結竿３５および第２連結竿３６は設けられていない。第１連結竿３５および第２連結竿３６の代わりに、笠部３２の内縁端から中心に向かって、支持部としての複数（ここでは、例えば４個）の爪部３７を設けた。
従って、図７（Ｂ）に示すように、セード３０Ｂは、爪部３７の先端を、ＬＥＤ電球２０のランプ本体２２あるいはランプ本体２２と発光部２３との境界部に係止することにより、取り付けられる。
【００４１】
以上、説明した本発明に係る第２実施形態のセード３０Ｂおよび照明器具１０Ｂによれば、セード３０Ｂを取り付ける部品を別途設ける必要が無く、部品点数を減少させてコストダウンを図ることができる。
このとき、ランプ本体２２が、口金２１側から発光部２３側に向かって拡径するテーパ面を有するので、容易に爪部３７を支持することができる。
また、笠部３２をＬＥＤ電球２０に近づけて取り付けることができ、精度の高い配光制御が可能になる。
【００４２】
なお、本発明のセードおよび照明器具は、前述した各実施形態に限定されるものでなく、適宜な変形，改良等が可能である。
【符号の説明】
【００４３】
１０，１０Ｂ  照明器具
１２  ソケット
２０  ＬＥＤ電球（電球型ＬＥＤランプ）
２１  口金
２２  ランプ本体
２３  発光部
２３１  ＬＥＤ
３０，３０Ｂ  セード
３１  支持部
３２  笠部
３３  隙間部
３４  反射部
３５  第１連結竿
３６  第２連結竿
３７  爪部（支持部）
４０  環状部材
【図１】
2013145681.tif 000003
【図２】
2013145681.tif 000004
【図３】
2013145681.tif 000005
【図４】
2013145681.tif 000006
【図５】
2013145681.tif 000007
【図６】
2013145681.tif 000008
【図７】
2013145681.tif 000009
【図８】
2013145681.tif 000010